(57)【要約】      （修正有）【課題】分別廃棄とかリサイクルに適し、繰り返して使用でき、かつデザイン性に優れたスタッキングボトルを提供する。【解決手段】複数の同一形状のボトル本体４を積み重ねて一体化できる所謂スタッキングボトル１であって、ボトル本体４の胴体部において、底部に近い外周面には嵌合凹溝６を形成する。嵌合凹溝６に嵌合する凸部１１を胴体部において上端の内周縁に形成したスタッキング部材７内に仕切壁９を形成し、この仕切壁９の中央には、ボトル本体４のキャップ３側が下方から挿入自在の穴１０を形成し、更に仕切壁９の位置から下方に裾縁８を形成し、ボトル本体４をこのスタッキング部材７を用いて積み重ね自在とする。また、スタッキング部材７をボトルスタンドとして使用できるようにする。【選択図】図２
0003192506.tif 000002
【実用新案登録請求の範囲】
【請求項１】
胴体部の外周壁面に嵌合凹溝を形成してなるボトル本体と、  前記ボトル本体の嵌合凹溝に嵌合自在の凸部を筒状体の上縁の内側に形成すると共に前記筒状体内に仕切壁を形成し、この仕切壁の中央に下段に来るボトルのキャップが通る大きさの穴を形成すると共に前記筒状体の下端に周縁に裾縁を形成してなるスタッキング部材と、  からなるスタッキングボトル。
【請求項２】
前記スタッキング部材は、厚紙又はプラスチック材で成形されていること、を特徴とする請求項１に記載のスタッキングボトル。
【請求項３】
前記ボトル本体及びスタッキング部材の胴体部は、断面円形、楕円形又は多角形からなること、を特徴とする請求項１又は２に記載のスタッキングボトル。
【請求項４】
前記ボトル本体は、スタッキング部材を用いて２段以上に積み重ね自在であること、を特徴とする請求項１乃至３のいずれか１項に記載のスタッキングボトル。
【請求項５】
前記スタッキング部材は、１ヶのボトル本体に装着することでボトル本体のスタンドとして利用できること、を特徴とする請求項１乃至３のいずれか１項に記載のスタッキングボトル。 
【考案の詳細な説明】
【技術分野】
【０００１】  本考案は、異なる内容物、例えばヘアリキッドとヘアトニックあるいは化粧水と乳液のように主として使うタイミングや場所が同じ商品を別々の容器に収容し、この容器を積み重ねるようにして一体的に連結し、店頭において陳列したり、自宅の化粧品棚や食品ケースに納めたりするのに便利な所謂スタッキングボトルに関する。
【背景技術】
【０００２】  内容物において、使用したり飲食したりするタイミングが同時の商品、例えばヘアリキッドとヘアトニックのような商品は、一緒の場所に置いたり、陳列するのに便利なように容器同士を積み重ねるようにして一体化して販売する形態がとられる場合があり、このような販売形態のとれるボトルを一般にスタッキングボトルと称している。【０００３】  例えば、特開２００８−１００７２９号公報（特許文献１）、実用新案登録第３１６９２０４号公報、実開平６−２７５２２号公報、特開２００１−３５４２４２号公報。【０００４】  しかし、上記公知例のスタッキングボトルは、いずれもボトル本体の底面に別のボトルのキャップ側が嵌合する凹部を形成し、この凹部内に下段にくるボトルのキャップ側を嵌合して連結する構成となっていることから、次のような欠点がある。【０００５】  １．積み重ねたときの安定性が悪い。  ２．着脱が回数が多くなると、前記の凹部とキャップ間において嵌合が弛くなって離脱しやすくなる。  ３．積み重ね部の外観に隙間が生じたりして外観が悪くなる。  ４．積み重ねたときにボトル全体はそれぞれ独立した外観を呈するため、積み重ねたときに統一感がない。  ５．それぞれのボトルに対して内容物に関する情報を印刷したり、ラベルを貼り付けたりすることはできるが、内容物に関する情報以外の情報を提供したりする術がない。  ６．ボトル内の内容物が外から良く見えるようにするためには、ボトルから印刷やラベルを無くす必要があるが、このラベル等を除かない限りこれができない。  ７．使い切ったボトルを廃棄する場合に、このボトルにラベルが貼り付けられていると、いちいちラベルを剥がし取る必要があり、分別に手間がかかる。  ８．ボトルに直接印刷すると、この印刷インキがリサイクル使用において障害となる場合がある。  ９．ボトル本体の底部が丸く膨出している場合には、特に安定が悪い。
【考案の概要】
【考案が解決しようとする課題】
【０００６】  本考案の目的は、スタッキングボトルにおいて、上記した１〜９の課題を解消するのが目的である。
【課題を解決するための手段】
【０００７】  上記した目的を達成するため、請求項１に記載した考案は、スタッキングボトルにおいて、胴体部の外周壁面に嵌合凹溝を形成してなるボトル本体と、前記ボトル本体の嵌合凹溝に嵌合自在の凸部を筒状体の上縁の内側に形成すると共に前記筒状体内に仕切壁を形成し、この仕切壁の中央に下段に来るボトルのキャップが通る大きさの穴を形成すると共に前記筒状体の下端に周縁に裾縁を形成してなるスタッキング部材と、からなることを特徴とするものである。【０００８】  また、請求項２に記載した考案は、請求項１に記載したスタッキングボトルにおいて、前記スタッキング部材は、厚紙又はプラスチック材で成形されていることを特徴とするものである。【０００９】  また、請求項３に記載した考案は、請求項１又は２に記載したスタッキングボトルにおいて、前記ボトル本体及びスタッキング部材の胴体部は、断面円形、楕円形又は多角形からなることを特徴とするものである。【００１０】  また、請求項４に記載した考案は、請求項１乃至３のいずれか１項に記載したスタッキングボトルにおいて、前記ボトル本体は、スタッキング部材を用いて２段以上に積み重ね自在であることを特徴とするものである。【００１１】  また、請求項５に記載した考案は、請求項１乃至３のいずれか１項に記載したスタッキングボトルにおいて、前記スタッキング部材は、１ヶのボトル本体に装着することでボトル本体のスタンドとして利用できることを特徴とするものである。
【考案の効果】
【００１２】  １．本考案によると、公知例のようにボトル本体の底部に形成した凹部に下にくるボトルのキャップ部分を直接嵌合するのではなく、スタッキング部材を介して積み重ねると共に、ボトル本体との連結はボトル本体の胴体部の外周面に形成した嵌合凹溝にスタッキング部材側の凸部を嵌合させるため、この嵌合部はボトル本体の胴体部の外径と同じ径となることから、下段にくるボトルのキャップ部分を上段の底部に形成した穴内に嵌合する公知例に比較して使いが進行しても弛くなることがない。【００１３】  ２．ボトル本体の胴体部と同径の胴体部を有するスタッキング部材を形成することにより、積み重ねたときの外観が統一されてスマートになる。【００１４】  ３．積み重ねたときの外観がストレートになるため、全体的に統一した絵柄や色彩を施したりすることにより、デザイン的に多様化ができ、商品価値を高め、かつインテリア的にも役立つものとすることができる。【００１５】  ４．スタッキング部材の表面を用いて情報量を拡大したり、付加価値を高めるためのデザインの採用が可能になる。【００１６】  ５．ボトル本体側に印刷を施さず、透明化して内容物を外から透視することができるようにすることで、商品を陳列したときに購入意欲の向上を図ることができる。【００１７】  ６．スタッキング部材側の材質を厚紙で形成し、こちらにラベル印刷や商品情報を印刷しておくようにすると、ボトル本体側をそのままリサイクル使用することが可能である。【００１８】  ７．ボトル本体側とスタッキング部材は嵌合だけで積み重ねるようにしているため、容易に分離してリサイクルや廃棄に廻すことができる。【００１９】  ８．ボトルを単独で使用する場合には、スタッキング部材をボトルスタンドとして利用することができ、特にボトルの底部が丸い形状の場合に有効である。
【図面の簡単な説明】
【００２０】
【図１】本考案に係るスタッキングボトルの外観を示す説明図。
【図２】Ａ−Ａ’線断面図。
【図３】本考案に係るボトルの分解説明図。
【図４】ボトル本体とスタッキング部材の嵌合構造部の説明図。
【図５】スタッキング部材をボトルスタンドとして利用している状態の説明図。
【図６】（Ａ）〜（Ｃ）  ボトルの底部が丸い場合にスタッキング部材をスタンドとして利用する例の説明図。
【考案を実施するための形態】
【００２１】  本考案に係るスタッキングボトル（積み重ね容器）において、ボトル内に収容する内容物は液体あるいは粉体を含み、更にボトルの口部はスクリューキャップ以外に口栓方式で密封するものも含む。
【００２２】  また、前記公知例とは違い、スタッキング部材内の空間を広くとることで、スプレー或いはポンプ式のボトルを積み重ねる方式にも適用できる。
【００２３】  また、ボトル本体は、プラスチック製あるいはガラス製その他金属とか木製、紙製等であっても良く、商品の種類によりボトル本体の材質は選択される。
【００２４】  また、スタッキング部材の場合も、デザインとか商品の種類等により選定されるが、一回で廃棄する場合には、厚紙あるいはプラスチック材が有利である。
【００２５】  また、商品によっては１個のボトル内の中味を使い切り、他のボトルの中味は残っている場合には、この使い切ったボトル側のみを新しいボトルに交換してスタッキング部材はそのまま使用できるようにするため、スタッキング部材はある程度の強度を備えた材質のものを選択して製作する。
【００２６】  また、ボトル本体の大きさは、中味の種類あるいは量により選択されるため、この大きさは自由であり、また、ボトル本体の胴部の形状も断面円形であったり、楕円形であったり、多角形であっても本考案の適用は可能である。
【実施例１】
【００２７】  以下、本考案の実施例を図１〜図５に基づいて詳細に説明する。【００２８】  図１はボトル本体４を二段に積み重ねた状態のスタッキングボトル１の説明図、図２はＡ−Ａ’線断面図、図３は図１に示したボトル本体とスタッキング部材の分解説明図、図４はボトル本体４とスタッキング部材７の連結嵌合部の説明図であって、本実施例においてボトル本体４はガラス製であって、このボトル本体４の胴体部４ａは円筒状を呈し、この外周面の底面５側には嵌合凹溝６が形成されていると共にボトルの底面５は下方に膨らみが形成されている。【００２９】  また、このボトル本体４の口部２には、金属製のスクリューキャップ３が取り付けられている。【００３０】  ７は、厚紙製のスタッキング部材であって、このスタッキング部材７は、厚紙を前記ボトル本体４と同径であって、円筒状に形成されており、この上縁には内方に膨出するように嵌合凸部１１が形成され、内底部側には仕切壁９が形成されていると共にこの仕切壁９から下方に延長した周端縁には裾縁８が形成されている。【００３１】  この裾縁８の高さは、下縁部８ａが下段にくるボトル本体４の肩面４ａに接し、キャップ３の天面が上段のボトル本体４の底面５と丁度接触する高さとすることにより、上段のボトル本体４の支持を安定させることができる。【００３２】  また、前記仕切壁９の中央部には、他の（下段）にくるボトル本体４の口部２のキャップ３が侵入する大きさの穴１０が形成されている。【００３３】  この穴１０の大きさと形状は、下段にくるボトル本体４側のキャップ３とその大きさ及び形状に合わせて形成されており、例えばポンプ付の場合は、ポンプ部分が入る（通る）形状と大きさに形成されている。【００３４】  なお、ポンプ付のボトル本体４の場合、下段にくるキャップ部との間に大きなガタが発生する場合には適用できないが、例えばスプレーキャップ等の場合であって、複雑な形状を呈していない場合には適用が可能である。【００３５】  以上に説明した本考案に係るスタッキングボトル１は、図２で自明なように、ボトル本体４の底部側にスタッキング部材７を装着した上で、このスタッキング部材７の仕切壁９の穴１０内に下段のボトル本体４のキャップ部３を挿入し、更にこの下段のボトル本体７の下にスタッキング部材７を装着することで二段重ねとすることができる。【００３６】  このようにすることで、三段重ねとすることも可能である。【００３７】  また、一方のボトル本体４の中味の使用が終わった場合などには、残った側のボトル本体４にはスタッキング部材７を装着したままとなして実施例のように底面５が膨出した形状の場合には置いたときにボトル本体４を安定させることができる。【００３８】  また、図５に示すようにスタッキング部材７をボトルスタンドとして利用することもできる。
【実施例２】
【００３９】  本実施例２は、図６（Ａ）〜（Ｃ）に示すように、ボトル本体４の底部５が図６（Ｂ）に示すように丸く膨出している場合に、スタッキング部材７を装着してボトルスタンドとして利用できるようにした場合であって、この時の外観は図６（Ａ）に示すようにスマートになる。【００４０】  また、スタンド部材７の周囲にデザインの向上を図るために絵柄等を印刷することにより、商品価値を高めることができる。
【符号の説明】
【００４１】１  スタッキングボトル２  口部３  キャップ４  ボトル本体５  底面６  嵌合凹溝７  スタッキング部材８  裾縁９  仕切壁１０  穴１１  膨出部
【図１】
0003192506.tif 000003
【図２】
0003192506.tif 000004
【図３】
0003192506.tif 000005
【図４】
0003192506.tif 000006
【図５】
0003192506.tif 000007
【図６】
0003192506.tif 000008
【手続補正書】
【提出日】平成26年6月25日(2014.6.25)
【手続補正１】
【補正対象書類名】図面
【補正対象項目名】図１
【補正方法】変更
【補正の内容】
【図１】
0003192506.tif 000009